(57)【要約】【課題】子供であっても上手に織物を編込むことができる織り機玩具を提供する。【解決手段】織り機玩具１は、縦糸を挿通させる溝部３３ａ１を複数備えて回動自在に設けられるそうこう３３を有するそうこう部３０と、棒状に形成されて一部が溝部３３ａ１に挿入されるようにそうこう３３に配置されて織物の幅を維持する一対の織幅固定棒１００と、を備える。【選択図】    図１
2019180825.tif 000002
【特許請求の範囲】
【請求項１】
縦糸を挿通させる溝部を複数備えて回動自在に設けられるそうこうを有するそうこう部と、
棒状に形成されて一部が前記溝部に挿入されるように前記そうこうに配置されて織物の幅を維持する一対の織幅固定棒と、
を備えることを特徴とする織り機玩具。
【請求項２】
前記そうこう部は、前記そうこうの回動に連動してシャトルの挿入方向を示すシャトル方向指示部を備えることを特徴とする請求項１に記載の織り機玩具。
【請求項３】
前記そうこう部の縦糸上流側に配置されて前記そうこうに挿通される縦糸を係止する縦糸係止部を備えることを特徴とする請求項１又は請求項２に記載の織り機玩具。
【請求項４】
前記そうこう部及び前記縦糸係止部が設けられると共に、前記そうこう部の縦糸下流側に前記そうこうに挿通された縦糸をガイドする切欠きを有する横糸止めと、前記横糸止めの更に縦糸下流側に、編みこまれた織物を巻回して保持するよう回転自在に配置される軸状の巻回部と、を備える織り機本体を有し、
前記織幅固定棒の先端近傍は、前記横糸止めの前記切欠きに挿入されることを特徴とする請求項３に記載の織り機玩具。
【請求項５】
そうこうを備える織り機玩具の織物の幅を維持するように前記織物の横糸方向の両端部の縦糸に合わせて前記そうこうに配置されることを特徴とする織り機玩具用の一対の織幅固定棒。
【発明の詳細な説明】
【技術分野】
【０００１】
本発明は、織り機玩具及び織幅固定棒に関する。
【背景技術】
【０００２】
従来から、手織り機を簡易な構造として子供でも機織りを楽しめる織り機玩具が提供されている。織り機玩具は、実際の手織り機と同様に、複数の縦糸について隣り合う縦糸を交互に上下させて、縦糸の上下の間隔に横糸を通すことで編込みさせる構造を基本としている。例えば、特許文献１には、おさにより縦糸を上下させることで簡易な構造を実現した織り機玩具が開示されている。
【先行技術文献】
【特許文献】
【０００３】
【特許文献１】実開昭５８−１７９１９８号公報
【発明の概要】
【発明が解決しようとする課題】
【０００４】
交互に上下する縦糸の間にシャトル（杼）に巻きつけた横糸を通す作業は、子供にとって楽しいものである。しかしながら、横糸を通した後に横糸を強く引っ張ってしまうと、織物が幅方向に締め付けられて、幅の狭い織物となってしまうことがある。一方で、ある程度の力で横糸を引っ張らないと、編込みが緩くなり、見た目も悪い織物となってしまうこともある。このように、適度な力加減で横糸を通すことは、子供にとって難しい場合があった。
【０００５】
本発明の目的は、子供であっても上手に織物を編込むことができる織り機玩具を提供する。
【課題を解決するための手段】
【０００６】
本発明に係る織り機玩具は、縦糸を挿通させる溝部を複数備えて回動自在に設けられるそうこうを有するそうこう部と、棒状に形成されて一部が前記溝部に挿入されるように前記そうこうに配置されて織物の幅を維持する一対の織幅固定棒と、を備える。
【０００７】
本発明に係る織幅固定棒は、そうこうを備える織り機玩具の織物の幅を維持するように前記織物の横糸方向の両端部の縦糸に合わせて前記そうこうに配置される。
【発明の効果】
【０００８】
本発明によれば、小さい子供でも上手に織物を編込むことができる織り機玩具を提供することができる。
【図面の簡単な説明】
【０００９】
【図１】本発明の実施形態に係る織り機玩具を示す斜視図である。
【図２】本発明の実施形態に係る織り機玩具を上から見た平面図であり、（ａ）はそうこうが縦糸下流側に位置している状態を示し、（ｂ）はそうこうが縦糸上流側に位置している状態を示す。
【図３】本発明の実施形態に係るそうこうを示す斜視図であり、（ａ）は溝部側からみた図であり、（ｂ）は接続板側から見た図である。
【図４】本発明の実施形態に係る織り機玩具の使用状態を示す図であり、（ａ）はそうこうが縦糸上流側に位置した状態を示す図であり、（ｂ）はそうこうが縦糸下流側に位置した状態を示す図である。
【図５】本発明の実施形態に係る織り機玩具の巻回部で織物を巻いた後の状態の織り機玩具を示す斜視図。
【発明を実施するための形態】
【００１０】
次に、図面に基づいて、本発明の実施形態について説明する。図１に示すように、織り機玩具１は、四角枠状に形成されるフレーム１０を有する。フレーム１０は、後述の縦糸を架設する方向（縦糸方向）を長手方向とし、縦糸方向と略直交して横糸を通す方向（横糸方向）を短手方向とする長矩形に形成される。フレーム１０には、後述の縦糸係止部２０、そうこう部３０、横糸止め４０、巻回部５０が設けられて織り機本体８０が形成される。織り機本体８０では、そうこう部３０と横糸止め４０との間の領域で編込み作業が行われる。織り機玩具１は、織り機本体８０と、後述の織幅固定棒１００と、横糸が巻回されるシャトル２００を備える。
【００１１】
フレーム１０の長手方向の一方側には、複数の縦糸の一方端をそれぞれ係止する縦糸係止部２０が設けられる。織り機玩具１の織り機本体８０は、フレーム１０の長手方向の一方側とされる縦糸係止部２０が設けられる側を縦糸上流側として、その反対側のフレーム１０の長手方向の他方側が縦糸下流側とされる。
【００１２】
縦糸係止部２０には、長尺板状の固定係止板２１が設けられる。固定係止板２１は、平面を縦糸方向に向けて、長手方向を横糸方向に合わせてフレーム１０に固定される。固定係止板２１には、縦糸が挿通される複数の切欠き２１ａが形成される。
【００１３】
固定係止板２１の縦糸下流側には、固定係止板２１と平行に隣接して長尺板状のスライド係止板２２が設けられる。スライド係止板２２にも切欠き２２ａが形成される。スライド係止板２２の切欠き２２ａとの間は、一辺が傾斜する直角台形状の複数の突起２２ａ１が形成される。スライド係止板２２は、横糸方向に移動自在に形成される。スライド係止板２２は、図示しないコイルバネ等の付勢部材により、突起２２ａ１の傾斜する一辺側（換言すれば、後述のハンドル２３が配置される、縦糸係止部２０における一方側とは反対の他方側）に付勢される。スライド係止板２２は、図示しない突起等の適宜の手段で縦糸係止部２０の他方側への移動が規制される。スライド係止板２２の定常状態においては、固定係止板２１の切欠き２１ａに対してスライド係止板２２の突起２２ａ１の傾斜する一辺が配置されている。
【００１４】
縦糸係止部２０の一方側の端部近傍のフレーム１０上には、花形を模したハンドル２３が回動自在に設けられる。ハンドル２３は、スライド係止板２２と所定の構造により接続される。ハンドル２３を所定方向に回動すると、スライド係止板２２を付勢する付勢力に抗してスライド係止板２２を横糸方向（具体的には、縦糸係止部２０の一方側）に移動させることができる。ハンドル２３でスライド係止板２２を移動させると、スライド係止板２２の切欠き２２ａと、固定係止板２１の切欠き２１ａと、の横糸方向の位置を略一致させることができる。
【００１５】
スライド係止板２２の縦糸下流側には、スライド係止板２２と平行に隣接して、長尺板状の鉤状固定係止板２４がフレーム１０に固定される。鉤状固定係止板２４には、縦糸下流側の面に、横糸方向の一方側に向けて鉤状に形成される鉤状突起２４ａが形成される。縦糸係止部２０への縦糸の係止は、鉤状固定係止板２４の鉤状突起２４ａに縦糸を掛けつつ、スライド係止板２２における突起２２ａ１の傾斜する一辺と固定係止板２１の切欠き２１ａに縦糸を押し込む。すると、縦糸が突起２２ａ１の傾斜する一辺を押すことによりスライド係止板２２の付勢力に抗してスライド係止板２２が移動して、スライド係止板２２の切欠き２２ａと固定係止板２１の切欠き２１ａにより縦糸を噛ませて、縦糸を縦糸係止部２０に係止することができる。そして、ハンドル２３を所定方向に回動することにより、スライド係止板２２を移動させて縦糸の噛み合いを解除すれば、縦糸係止部２０に係止された縦糸を解放することができる。
【００１６】
縦糸係止部２０の縦糸下流側におけるフレーム１０の枠内には、そうこう部３０が設けられる。そうこう部３０には、横糸方向に亘って形成されてフレーム１０に固定されるベース３１が設けられる。ベース３１は、略角筒状に形成されて、両端部に窓部３１ａが開けられる。図２（ａ），（ｂ）に示すように、ベース３１の内部における各窓部３１ａに対応する位置には、それぞれシャトル方向指示部材３２が設けられる。
【００１７】
シャトル方向指示部材３２は、縦糸方向に所定範囲を移動自在に設けられる。シャトル方向指示部材３２には、矩形板状のスライド板３２ａが形成される。各スライド板３２ａの表面には、シャトル２００の挿入方向を示すように、相反する方向に向けられる２つの矢印３２ｂ１，３２ｂ２が形成される。各スライド板３２ａの、フレーム１０の横糸方向の内側方向における端縁からは、図１に示すように、ベース３１の上面に向けて、ベース３１の上面に形成された開口３１ｂから突出するように、板状の偏心軸受３２ｃが立設する。偏心軸受３２ｃには、切欠き状に軸受部が形成されて、後述するそうこう３３の偏心軸３３ｅが摺動自在に係合する。シャトル方向指示部材３２、窓部３１ａ及び偏心軸３３ｅにより、そうこう３３の回動に連動してシャトル２００の挿入方向を示すシャトル方向指示部３５が形成される。シャトル方向指示部３５により、子供であっても容易にシャトル２００の挿入方向を理解することができる。
【００１８】
ベース３１上には、そうこう３３が回動自在に配置される。図３に示すように、そうこう３３には、中心角を略９０度とされる扇形に形成される複数の仕切り板３３ａが所定の間隔で横糸方向に沿って設けられる。隣り合う仕切り板３３ａ間により、縦糸を挿通させる溝部３３ａ１が形成される。隣り合う仕切り板３３ａは、扇形の半径部分を接続するように設けられる接続板３３ｂが形成される。隣り合う溝部３３ａ１では、接続板３３ｂにより、扇形の仕切り板３３ａの２つの半径部のうち一方の扇形の半径部と他方の半径部が交互に接続される。接続板３３ｂの径外方向の端部は、Ｖ字状に切込み形成される。また、仕切り板３３ａの扇形の両端には、凸円弧状に膨出する膨出部３３ａ２が形成される。膨出部３３ａ２により、後述するように、そうこう３３を回動した場合でも、溝部３３ａ１に挿入された織幅固定棒１００が溝部３３ａ１から逸脱してしまうことが低減される。
【００１９】
そうこう３３には、複数の仕切り板３３ａの扇形の中心を横糸方向に亘って設けられる略円筒状の回動軸３３ｃが形成される。また、そうこう３３における両端の仕切り板３３ａの外側面には、外方向に突出する板状のツマミ板３３ｄが形成される。また、そうこう３３における両端の仕切り板３３ａの外側面であって、回動軸３３ｃから離れた位置には、外方向に突出する円柱状の偏心軸３３ｅが形成される。ツマミ板３３ｄと偏心軸３３ｅは、回動軸３３ｃから扇形の仕切り板３３ａの中心角を略等分する一直線上に配置される。
【００２０】
図１に示すように、ベース３１の上面における、偏心軸受３２ｃの横糸方向の内側には、板状の軸受３１ｃがベース３１に固定される。軸受３１ｃは、略中央部が凹状に形成されて、そうこう３３の回動軸３３ｃが載置される。そして、前述の通り、そうこう３３の偏心軸３３ｅは、シャトル方向指示部材３２の偏心軸受３２ｃと係合する。従って、そうこう３３は、回動軸３３ｃを中心に回動自在とされると共に、そうこう３３の回動により、偏心軸３３ｅと係合する偏心軸受３２ｃと一体のシャトル方向指示部材３２を縦糸方向に移動させることができる。
【００２１】
フレーム１０における、そうこう部３０の縦糸下流側の横糸方向に亘るフレーム１０上に、平面を縦糸方向に向けて長手方向を横糸方向とした長尺板状に形成される横糸止め４０がフレーム１０に着脱自在に設けられる。横糸止め４０は、複数の切欠き４０ａが形成されて、縦糸が挿通されてガイドされる。また、横糸止め４０の複数の切欠き４０ａ間に形成される複数の突起状板４０ａ１には、下流側に向けて突出する板状の編込み係止板４０ｂが形成される。後述する巻回部５０に巻き取られた編込みされた織物は、編込み係止板４０ｂに係止することができる。
【００２２】
横糸止め４０の縦糸下流側のフレーム１０の端部には、編込まれた織物を巻回して保持する軸状の巻回部５０が設けられる。巻回部５０は、フレーム１０の下流側端部に立設する一対の軸受部１０ａにより回転自在に設けられ、両端にはそれぞれハンドル５１が設けられる。ハンドル５１間は軸部５２が形成される。軸部５２は、横糸方向に長い長尺状の板材が縦断面視十字状に配置して形成される。軸部５２の一つの板材には、縦糸の端部が挿入される複数の切欠きが形成されて、カバー５３が装着されることで縦糸が係止される織物係止部５２ａが形成される。
【００２３】
織り機玩具１の織幅固定棒１００は、細い棒状の棒本体１１０の一方の端部に球状の把持部１１１が形成される。棒本体１１０は、多数の球面状の凹凸が形成される。
【００２４】
織り機玩具１による織物の作成は、例えば先ず、縦糸上流側にそうこう３３が位置する図４（ａ）に示すように縦糸をセットする。具体的には、各縦糸を巻回部５０の織物係止部５２ａに係止させ、横糸止め４０の切欠き４０ａを通してそうこう３３の溝部３３ａ１に挿通させて、縦糸係止部２０に係止させる。このとき、そうこう３３の溝部３３ａ１において、接続板３３ｂの端部が上側に向いている溝部３３ａ１に隣り合う溝部３３ａ１の接続板３３ｂは、ベース３１の上面と略平行に寝かせた状態となっている。従って、そうこう３３の溝部３３ａ１に挿通される隣り合う縦糸は、一方が上側に配置されていれば他方は下側に配置される。
【００２５】
このようにして複数の縦糸を織り機玩具１にセットした後、軽く巻回部５０のハンドル５１を回して縦糸に張力を与えておく。そして、複数の縦糸のうち、横糸方向（幅方向）の両端部における縦糸Ｓ１，Ｓ２が挿通される溝部３３ａ１に、各織幅固定棒１００の把持部１１１側の棒本体１１０の一部を配置する。織幅固定棒１００の先端側の棒本体１１０の先端近傍の一部は、横糸方向（幅方向）の端部における縦糸が挿通される横糸止め４０の切欠き４０ａに挿入する。織幅固定棒１００は、棒本体１１０が球面状に凹凸に形成されるため、板状に形成される横糸止め４０の切欠き４０ａや接続板３３ｂの端部からは縦糸方向に容易にずれることはないが、後述するようにそうこう３３の回動に伴う縦糸方向への若干の移動はスムーズに行われる。
【００２６】
織幅固定棒１００を上記のように配置した後、図４（ａ）に示すように（図２（ｂ）も参照）、窓部３１ａに表示される矢印３２ｂ２で示す方向に向けて、シャトル２００を上下の縦糸間に通す。シャトル２００を通した後、図４（ｂ）に示すように（図２（ａ）も参照）、そうこう３３のツマミ板３３ｄを摘まんでそうこう３３を縦糸下流側に位置するように回動させる。すると、隣り合う縦糸の上下が入れ替わると共に、窓部３１ａに表示されるシャトル２００を通す方向も矢印３２ｂ１に切り替わる。従って、今度は先程とは逆方向とされる矢印３２ｂ１の方向にシャトル２００を通す。シャトル２００（横糸）の縦糸間への挿入は、幅方向端部の縦糸と共に織幅固定棒１００を巻き込むように行われる。
【００２７】
以上の動作を繰り返して、適宜図示しない筬で編み目を詰める等して、編込みを行う。図示しない筬で編み目を詰めた場合には、横糸止め４０で編み目を受けているので、編み目を綺麗に詰めることができる。そうこう部３０と横糸止め４０との間の領域が、ある程度編込みされた織物が占めたら、編込みされた部分を巻回部５０により巻き取る。巻回部５０による巻取は、把持部１１１を把持して織幅固定棒１００を抜き取り、縦糸係止部２０のハンドル２３を回して縦糸係止部２０の縦糸の係止を解放して、横糸止め４０からも縦糸を外して、横糸止め４０をフレーム１０から取り外して巻回部５０により編込んだ部分を巻回して保持する。このとき、巻回部５０のカバー５３は取り付けたままで良い。巻回部５０により編込んだ部分を巻回した後、図５に示すように、横糸止め４０が取り付けられていたフレーム１０に、横糸止め４０に換えて、織物の幅に合わせて駒４８を取り付ける。ここで、駒４８は、織幅固定棒１００の棒本体１１０を挿入可能に形成されて、織幅固定棒１００の横糸方向の移動を規制しつつ、そうこう３３の回動に伴って縦糸方向に動く織幅固定棒１００をガイドする。縦糸の上流側は、縦糸係止部２０に再び係止する。そして、織幅固定棒１００を織物の幅両端にセットして、織幅固定棒１００の棒本体１１０の先端を駒４８に挿入する。このようにセッティングして、編込みの作業を継続することができる。図５の状態でも、既に編み込まれた部分が積層されているので、図示しない筬で編込みした部分を詰めて織物を綺麗に仕上げることができる。
【００２８】
織り機玩具１では、一対の織幅固定棒１００を、そうこう３３に架設された複数の縦糸のうち、織物の横糸方向の両端部の縦糸Ｓ１，Ｓ２に合わせて配置することで、横糸をシャトル２００で通す際に、力の加減が難しい子供が強く横糸を引っ張っても、織幅固定棒１００間で織物の幅が維持されるので、織物が編込みの途中で締めつけられてしまうことが無い。従って、力の加減が難しい子供でも織物の幅が一定の綺麗な織物を完成させることができる。なお、織幅固定棒１００の棒本体１１０は、樹脂材料や針金等の金属材料で形成することができ、弾発力を備えれば、強く横糸を引っ張った際でも横糸（シャトル２００）を離すことで復元して、織物の幅が維持される。
【００２９】
以上、本発明の実施形態を説明したが、本発明は本実施形態によって限定されることは無く、適宜変更を加えて実施することができる。例えば、織幅固定棒１００は、そうこう部３０と横糸止め４０に亘って配置することとしたが、そうこう部３０にその一部が係止されていれば織物の幅を維持することができる。
【符号の説明】
【００３０】
１        機玩具                  １０      フレーム
１０ａ    軸受部                  ２０      縦糸係止部
２１      固定係止板              ２１ａ    切欠き
２２      スライド係止板          ２２ａ    切欠き
２２ａ１  突起                    ２３      ハンドル
２４      鉤状固定係止板          ２４ａ    鉤状突起
３０      そうこう部              ３１      ベース
３１ａ    窓部                    ３１ｂ    開口
３１ｃ    軸受                    ３２      シャトル方向指示部材
３２ａ    スライド板
３２ｂ，３２ｂ１，３２ｂ２    矢印
３２ｃ    偏心軸受                ３３      そうこう
３３ａ    仕切り板
３３ａ１  溝部                    ３３ａ２  膨出部
３３ｂ    接続板                  ３３ｃ    回動軸
３３ｄ    ツマミ板                ３３ｅ    偏心軸
３５      シャトル方向指示部
４０      横糸止め                ４０ａ    切欠き
４０ａ１  突起状板                ４０ｂ    編込み係止板
４８      駒
５０      巻回部                  ５１      ハンドル
５２      軸部                    ５２ａ    織物係止部
５３      カバー                  ８０      織り機本体
１００    織幅固定棒              １１０    棒本体
１１１    把持部                  ２００    シャトル
Ｓ１，Ｓ２    縦糸
【図１】
2019180825.tif 000003
【図２】
2019180825.tif 000004
【図３】
2019180825.tif 000005
【図４】
2019180825.tif 000006
【図５】
2019180825.tif 000007